(57)【要約】【課題】  天井面のフラット化を図るとともに、器具本体内のスペースを有効に利用して、電源コードの巻き付け長さを充分に確保でき、吊り下げ長さの調整が簡単、かつ構造が簡単でコスト安に製造でき、器具本体も小型化できる照明器具を提供する。【解決手段】  天井材１の取付け穴１ａに下方から挿入されて、下端フランジ部２ａが天井材１の下面に当て止められた状態で天井材１に固定される器具本体２と、この器具本体２に上端側が係止されて、器具本体２内から天井材１の下方に垂下され、下端側に灯具７が取付けられた電源コード５とが設けられ、上記天井材１の取付け穴１ａに挿入された器具本体２内に、上記電源コード５を手巻きして固定可能な巻き付け部材１１Ａが設けられている。【選択図】  図２
2005183227.tif 000002
【特許請求の範囲】
【請求項１】
天井材の取付け穴に下方から挿入されて、下端フランジ部が天井材の下面に当て止められた状態で天井材に固定される器具本体と、この器具本体に上端側が係止されて、器具本体内から天井材の下方に垂下され、下端側に灯具が取付けられた電源コードとが設けられ、上記天井材の取付け穴に挿入された器具本体内に、上記電源コードを手巻きして固定可能な巻き付け部材が設けられていることを特徴とする照明器具。
【請求項２】
上記巻き付け部材に、電源コードの巻き付け長さ微調整部が形成されている請求項１記載の照明器具。
【請求項３】
上記電源コードは、巻き付け部材に縦巻きおよび横巻きのいずれか一方で巻き付けられた上に、他方で巻き付けられている請求項１記載の照明器具。
【発明の詳細な説明】
【技術分野】
【０００１】
本発明は、灯具が電源コードにより吊り下げられる照明器具に関する。
【背景技術】
【０００２】
図５（ａ）に示すように、天井材２０の下面に固定した引掛シーリング２１に接続器２２を接続して、この接続器２２から下方に垂下させた電源コード２３の下端側に灯具（不図示）を取付けるとともに、接続器２２に巻き付け部材２４を設けて、この巻き付け部材２４、接続器２２、引掛シーリング２１をカバー２５で覆ったものがある（先行技術１）。この先行技術１では、電源コード２３を巻き付け部材２４に巻き付けて、電源コード２３の吊り下げ長さを調整するものである。
【０００３】
また、図５（ｂ）に示すように、天井材２０の取付け穴２０ａに器具本体２６を下方から挿入して、下端フランジ部２６ａを天井材２０の下面に当て止めた状態で天井材２０に固定するとともに、器具本体２６の支持具２７に上端側を係止して、器具本体２６内から天井材２０の下方に垂下させた電源コード２３の下端側に灯具（不図示）を取付けるとともに、器具本体２６内にコードアジャスター２８を設けたものがある（先行技術２）。この先行技術２では、コードアジャスター２８を拡縮径させて、電源コード２３の吊り下げ長さを調整するものである。
【０００４】
さらに、図６に示すように、天井材２０の取付け穴２０ａに器具本体２６を下方から挿入して、下端フランジ部２６ａを天井材２０の下面に当て止めた状態で、取付け金具３１で天井材２０に固定するとともに、器具本体２６に上端側を係止して、器具本体２６内から天井材２０の下方に垂下させた電源コード２３の下端側に灯具２９を取付けるとともに、器具本体２６内にコードリーラー３０を設けたものがある（先行技術３…特許文献１参照）。この先行技術３では、電源コード２３を自動巻式コードリーラー３０に巻き付けて、電源コード２３の吊り下げ長さを調整するものである。
【特許文献１】特開２００１−２３６８１６号公報
【発明の開示】
【発明が解決しようとする課題】
【０００５】
しかしながら、先行技術１は、天井材２０の下面の引掛シーリング２１に灯具の接続器２２を接続するタイプのものであって、接続器２２に設けた巻き付け部材２４もカバー２５で覆う必要があるので、カバー２５が大型化して天井面をフラット化できないために見栄えが悪くなるとともに、カバー２５内に収まるように電源コード２３を巻き付け部材２４に巻き付けなければならないので、電源コード２３の巻き付け長さに限界があった。また、接続器２２側の電源コード２３とカバー２５側の電源コード２３とは、同軸状態にする必要から、接続器２２側の電源コード２３は、巻き付け部材２４の中心から外側に引き出して巻き付け、その後、外側から中心位置に引き入れる必要があるので、吊り下げ長さの調整が困難であった。
【０００６】
先行技術２は、図５（ｂ）に二点鎖線ａで示したように、電源コード２３が器具本体２６内では無く天井裏に収納されるので、吊り下げ長さを短くするときに電源コード２３を押し込む際に、天井裏の造営物に引っ掛かって押し込みができなかったり、吊り下げ長さを長くするときに電源コード２３を引き出す際に、天井裏の造営物に引っ掛かって引き出しができなかったり、というような恐れがあり、設置に配慮が必要な場合がある。
【０００７】
先行技術３は、自動巻式コードリーラー３０が必要になるので、構造が複雑でコスト高になるとともに、巻き付けドラムが大径になるので、器具本体が大型化する。
【０００８】
本発明は、上記問題を解消するためになされたもので、天井面のフラット化を図るとともに、器具本体内のスペースを有効に利用して、電源コードの巻き付け長さを充分に確保でき、吊り下げ長さの調整が簡単、かつ構造が簡単でコスト安に製造でき、器具本体も小型化できる照明器具を提供することを課題とするものである。
【課題を解決するための手段】
【０００９】
上記課題を解決するために、本発明は、天井材の取付け穴に下方から挿入されて、下端フランジ部が天井材の下面に当て止められた状態で天井材に固定される器具本体と、この器具本体に上端側が係止されて、器具本体内から天井材の下方に垂下され、下端側に灯具が取付けられた電源コードとが設けられ、上記天井材の取付け穴に挿入された器具本体内に、上記電源コードを手巻きして固定可能な巻き付け部材が設けられていることを特徴とする照明器具を提供するものである。
【００１０】
請求項２のように、上記巻き付け部材に、電源コードの巻き付け長さ微調整部が形成されている構成とすることが好ましい。
【００１１】
請求項３のように、上記電源コードは、巻き付け部材に縦巻きおよび横巻きのいずれか一方で巻き付けられた上に、他方で巻き付けられている構成とすることが好ましい。
【発明の効果】
【００１２】
本発明によれば、器具本体は、天井材の取付け穴に下方から挿入し、下端フランジ部を天井材の下面に当て止めた状態で天井材に固定して、電源コードは、上端側を器具本体に係止し、器具本体内から天井材の下方に垂下させて、下端側に灯具を取付けることにより、先行技術１のように、天井面から大型のカバーが突出しないので、天井面をフラット化できて見栄えが向上するようになる。
【００１３】
また、天井材の取付け穴に挿入された器具本体内に巻き付け部材を設けて、この巻き付け部材に電源コードを手巻きして固定するから、器具本体内のスペースを有効に利用して、電源コードの巻き付け長さを充分に確保できるようになる。
【００１４】
さらに、巻き付け部材に電源コードを外巻きして、その外巻き量を加減することで吊り下げ長さを調整できるので、吊り下げ長さの調整が簡単になる。
【００１５】
また、器具本体内の巻き付け部材に電源コードを手巻きして固定するから、先行技術２のように、電源コード２３が天井裏の造営物に引っ掛かることがないとともに、先行技術３のような自動巻式ではないので、構造が簡単でコスト安に製造でき、器具本体も小型化できるようになる。
【００１６】
請求項２によれば、巻き付け部材に、電源コードの巻き付け長さ微調整部を形成すると、電源コードの巻き付け長さの微調整が簡単になる。
【００１７】
請求項３によれば、巻き付け部材に電源コードを縦巻きおよび横巻きのいずれか一方で巻き付けた上に、他方で巻き付けることにより、電源コード自体で電源コードを固定できるので、別に電源コード固定部材を設ける必要が無くなってコスト安に製造でき、巻き付け操作と同時に固定操作も行えるので、操作が簡単になる。
【発明を実施するための最良の形態】
【００１８】
以下、本発明を実施するための最良の形態について、図面を参照しながら詳細に説明する。
【００１９】
図１および図２（ａ）は第１実施形態の巻き付け部材１１Ａを備えた照明器具であり、図１は全体側面図、図２（ａ）は、要部拡大側面図である。
【００２０】
天井材１には取付け穴１ａが形成されている。器具本体２は、有頂筒状に形成されて、下部開口には下端フランジ部２ａが形成されている。
【００２１】
この器具本体２は、天井材１の取付け穴１ａに下方から挿入されて、下端フランジ部２ａが天井材１の下面に当て止められた状態で、器具本体２の取付け金具３で天井材１の上面を係止することにより、天井材１に固定されるようになる。
【００２２】
上記器具本体２の上部には端子台（若しくはコネクタ）４が取付けられ、この端子台４に電源コード５の上端側が係止されて、この電源コード５は、器具本体２内から天井材１の下方（室内）に垂下されて、下端側にランプ６を有する灯具７が取付けられている。
【００２３】
上記器具本体２の下部開口を塞いで下端フランジ部２ａにビス９で固定されるベースプレート１０が設けられ、このベースプレート１０の上面中央位置に、縦長の巻き付け部材１１Ａの下端部１１ｂが固定されている。この巻き付け部材１１Ａは、図では、例えば板材を平面視でコ字状に折り曲げ若しくは湾曲させたものであるが、筒状材であっても良い。
【００２４】
そして、電源コード５は、図１の例では、巻き付け部材１１Ａの外周に６周分だけ手巻き付けして、巻き付け部材１１Ａの下側部に設けた固定部材１３に挟み込んで固定している。また、図２の例では、巻き付け部材１１Ａの外周に６周分だけ手巻き付けし、さらに巻き付けた電源コード５の外周に５周分だけ手巻き付けして、巻き付け長さを長くしている（計１１周分）。
【００２５】
上記ベースプレート１０は、下方から化粧カバー１２で覆われて、この化粧カバー１２は、フック部１２ｂがベースプレート１０の小穴１０ａを挿通して、器具本体２のフック穴２ｂに係止されることにより、器具本体２に固定されるようになる。
【００２６】
上記巻き付け部材１１Ａの固定部材１３に挟み込まれた電源コード５は、ベースプレート１０の中心穴１０ｂと化粧カバー１２の中心穴１２ａとを挿通して、下方（室内）に垂下されることになる。なお、化粧カバー１２の中心穴１２ａと電源コード５との間に摩擦力が確保できれば、上記フック部１２ｂを廃止して、電源コード５に化粧カバー１２を固定することもできる。
【００２７】
上記巻き付け部材１１Ａに電源コード５を外巻きして、その外巻き量を加減する操作は、化粧カバー１２とベースプレート１０とを器具本体２から取り外した状態で、電源コード５を必要な長さまで巻き付け部材１１Ａに巻き付けて、固定部材１３に挟み込んで固定し、その後、器具本体２にベースプレート１０をビス９で固定し、化粧カバー１２をフック部１２ｂで固定すれば良い。
【００２８】
第１実施形態の照明器具では、器具本体２は、天井材１の取付け穴１ａに下方から挿入し、下端フランジ部２ａを天井材１の下面に当て止めた状態で取付け金具３により天井材１に固定して、電源コード５は、上端側を器具本体２の端子台４に係止し、器具本体２内から天井材１の下方に垂下させて、下端側に灯具７を取付けるとともに、器具本体２の下部開口は化粧カバー１２で覆ったものであるから、天井面から大型のカバーが突出しないので（先行技術１参照）、天井面をフラット化できて見栄えが向上するようになる。
【００２９】
また、天井材１の取付け穴１ａに挿入した器具本体２内に巻き付け部材１１Ａを設けて、この巻き付け部材１１Ａに電源コード５を手巻きして固定するから、器具本体２内のスペースを有効に利用して、電源コード５の巻き付け長さを充分に確保できるようになる。
【００３０】
さらに、巻き付け部材１１Ａに電源コード５を外巻きして、その外巻き量を加減することで吊り下げ長さを調整できるので、吊り下げ長さの調整が簡単になる。
【００３１】
また、器具本体２内の巻き付け部材１１Ａに電源コード５を手巻きして固定するから、電源コード５が天井裏の造営物に引っ掛かることがないとともに（先行技術２参照）、自動巻式ではないので（先行技術３参照）、構造が簡単でコスト安に製造でき、器具本体２も小型化できるようになる。
【００３２】
さらに、第１実施形態の巻き付け部材１１Ａは、縦長に設定して、電源コード５を水平方向に巻き付けるために（横巻き）、電源コード５は横方向に膨らむだけなので、器具本体２の高さ寸法を低くすることができる。
【００３３】
図２（ｂ）は、第２実施形態の巻き付け部材１１Ｂであって、第１実施形態の巻き付け部材１１Ａと相違するのは、ベースプレート１０の上面中央位置に、横長の巻き付け部材１１Ｂのブラケット状下端部１１ｃを固定した点である。この巻き付け部材１１Ｂは、図では、例えば板材を側面視でコ字状に折り曲げ若しくは湾曲させたものであるが、筒状材であっても良い。また、この巻き付け部材１１Ｂは、第１実施形態の巻き付け部材１１Ａの約３倍の外周径となるよう大径に設定している。
【００３４】
そして、電源コード５は、図２（ａ）の例では、巻き付け部材１１Ｂの外周に３．５周分だけ手巻き付けして、巻き付け部材１Ｂの下側部に設けた固定部材１３に挟み込んで固定している。
【００３５】
この第２実施形態の巻き付け部材１１Ｂは、横長に設定して、電源コード５を垂直方向に巻き付けるために（縦巻き）、電源コード５は縦方向に膨らむだけなので、器具本体２の幅寸法を狭くすることができる。
【００３６】
図３（ａ）は、第３実施形態の巻き付け部材１１Ｃであって、第１実施形態の巻き付け部材１１Ａと相違するのは、ベースプレート１０の上面中央位置にブラケット状下端部１１ｄを固定して、このブラケット状下端部１１ｄから立ち上がるブラケット部１１ｅの側面に、上下方向に多段で（本例では４段）で、電源コード５の外径とほぼ同じ間隔で巻き付け板部１１ｆを側出させた点である。この巻き付け部材１１Ｃは、合成樹脂等で一体成形することができる。
【００３７】
そして、電源コード５は、図３（ａ）の例では、ブラケット部１１ｅ側から巻き付け板部１１ｆの外周に３周分だけ縦巻きで手巻き付けして、１段目と２段目の巻き付け板部１１ｆの間、２段目と３段目の巻き付け板部１１ｆの間、３段目と４段目の巻き付け板部１１ｆの間に、それぞれ蛇行させながら引っ掛けて固定している。
【００３８】
この第３実施形態の巻き付け部材１１Ｃは、電源コード５の引っ掛け位置を変える、例えば、３段目と４段目の巻き付け板部１１ｆの間に電源コード５を引っ掛けないようにすることで、吊り下げ長さを比較的大きめで微調整できるので、吊り下げ長さの微調整が簡単になる。
【００３９】
図３（ｂ）は、第４実施形態の巻き付け部材１１Ｄであって、第１実施形態の巻き付け部材１１Ａと相違するのは、ベースプレート１０の上面中央位置に逆Ｕ字状のブラケット部１１ｇの下端側出部１１ｈを当てがって、この下端側出部１１ｈに円弧溝１１ｉを形成するとともに、ベースプレート１０に固定したボルト１４ａを円弧溝１１ｉに挿入させて、ナット１４ｂで固定して、巻き付け部材１１Ｄの旋回（回転）中心は、ベースプレート１０の電源コード５が挿通される中心穴１０ｂとは位置をずらせた点である。この巻き付け部材１１Ｄは、合成樹脂等で一体成形することができる。
【００４０】
そして、電源コード５は、図３（ｂ）の例では、ブラケット部１１ｇの外周に４周分だけ横巻きで手巻き付けしている。
【００４１】
この第４実施形態の巻き付け部材１１Ｄは、ナット１４ｂを緩めてブラケット部１１ｇを矢印ａのように円弧溝１１ｉに沿って旋回させることで、吊り下げ長さを比較的小さめで微調整できるので、吊り下げ長さの微調整が簡単になる。
【００４２】
第３実施形態と第４実施形態の巻き付け部材１１Ｃ、１１Ｄの要部を組み合わせれば、比較的大きめの微調整と較的小さめの微調整とを行うことができる。
【００４３】
図４（ａ）は、第５実施形態の巻き付け部材１１Ｅであって、第１実施形態の巻き付け部材１１Ａと相違するのは、ベースプレート１０の上面中央位置にブラケット状下端部１１１ｊを固定して、このブラケット状下端部１１ｊの上部に、横向きＨ字状のブラケット部１１ｋを設けた点である。この巻き付け部材１１Ｅは、合成樹脂等で一体成形することができる。
【００４４】
そして、電源コード５は、図４（ａ）の例では、ブラケット部１１ｇの外周に４周分だけ縦巻きで手巻き付けするとともに、その上に、３周分だけ横巻きで手巻き付けしている。
【００４５】
この第５実施形態の巻き付け部材１１Ｅは、電源コード５自体で電源コード５を固定できるので、別に電源コード５の固定部材１３を設ける必要が無くなってコスト安に製造でき、巻き付け操作と同時に固定操作も行えるので、操作が簡単になる。
【００４６】
図４（ｂ）は、第６実施形態の巻き付け部材１１Ｆであって、第１実施形態の巻き付け部材１１Ａと相違するのは、ベースプレート１０の上面中央位置に平面視でＵ字状のブラケット部１１ｍの下端部１１ｎを固定するとともに、ブラケット部１１ｍの側面に複数の引っ掛けピン部１１ｐを設けた点である。この巻き付け部材１１Ｆは、合成樹脂等で一体成形することができる。
【００４７】
そして、電源コード５は、図４（ｂ）の例では、ブラケット部１１ｍの外周に５周分だけ縦巻きで手巻き付けた後に、引っ掛けピン部１１ｐに蛇行させながら引っ掛けて固定している。
【００４８】
この第６実施形態の巻き付け部材１１Ｆは、引っ掛けピン部１１ｐで電源コード５を固定できるので、別に電源コード５の固定部材１３を設ける必要が無くなってコスト安に製造できる。
【図面の簡単な説明】
【００４９】
【図１】第１実施形態の巻き付け部材を備えた照明器具の全体側面図である。
【図２】（ａ）は図１の要部拡大側面断面図、（ｂ）は第２実施形態の巻き付け部材の側面断面図である。
【図３】（ａ）は第３実施形態の巻き付け部材の斜視図、（ｂ）は第４実施形態の巻き付け部材の斜視図である。
【図４】（ａ）は第５実施形態の巻き付け部材の斜視図、（ｂ）は第６実施形態の巻き付け部材の斜視図である。
【図５】（ａ）（ｂ）は先行技術の側面断面図である。
【図６】先行技術の側面断面図である。
【符号の説明】
【００５０】
１      天井材
１ａ    取付け穴
２      器具本体
２ａ    下端フランジ部
５      電源コード
７      灯具
１１Ａ〜１１Ｆ  巻き付け部材
１１ｆ  巻き付け板部（微調整部）
１１ｉ  円弧溝（微調整部）
１１ｋ  横向きＨ字状のブラケット部
１４ａ  ボルト（微調整部）
１４ｂ  ナット（微調整部）
１３    固定部材
【図１】
2005183227.tif 000003
【図２】
2005183227.tif 000004
【図３】
2005183227.tif 000005
【図４】
2005183227.tif 000006
【図５】
2005183227.tif 000007
【図６】
2005183227.tif 000008